【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】
記録用紙を給紙する給紙手段であって少なくとも第１の給紙手段及び第２の給紙手段とを含む複数の給紙手段と、
予め設定された給紙手段による給紙が不可能な場合に、他の給紙手段に切り替えて給紙を行う切替手段と、
前記第１の給紙手段により記録用紙を給紙して印刷されるべき印刷データを入力する入力手段と、
前記入力手段により入力された印刷データの印刷に係る情報として、該印刷データの印刷に用いられるべき記録用紙のタイプを示すタイプ情報と、該タイプ情報が示すタイプの記録用紙を前記第１の給紙手段により給紙することが不可能な場合に、前記切替手段により前記第１の給紙手段から他の給紙手段に切り替えて給紙することを許可するか否かを示す第１の切替情報と、前記第２の給紙手段を前記他の給紙手段として使用することを許可するか否かを示す第２の切替情報とを、受け付ける受付手段と、
前記入力手段により入力された印刷データの印刷を実行する際に、前記タイプ情報が示すタイプの記録用紙を前記第１の給紙手段により給紙することが不可能な場合は、前記第１の切替情報に基づいて、前記切替手段により前記他の給紙手段へ切り替えて給紙することが許可されているか否かを判断する第１の判断手段と、
前記切替手段により前記第１の給紙手段から前記他の給紙手段に切り替える場合に、前記第２の切替情報に基づいて、前記第２の給紙手段を前記他の給紙手段として使用することが許可されているか否かを判断する第２の判断手段と、
前記第１の給紙手段により給紙される記録用紙のタイプと、前記タイプ情報が示すタイプとが同一であって、且つ前記第１の給紙手段により給紙されるべき記録用紙が給紙されない場合には、前記第１の判断手段による判断の結果及び前記第２の判断手段による判断の結果に基づいて、前記切替手段による切り替えが実行されるよう制御し、また、前記第１の給紙手段により給紙される記録用紙のタイプと、前記タイプ情報が示すタイプとが異なる場合には、前記第２の切替情報に基づかず、前記第１の判断手段による判断の結果に基づいて、前記切替手段による切り替えが実行されるよう制御する制御手段と、
を備えることを特徴とする印刷装置。
【請求項２】
ホストコンピュータと通信を行う通信手段を更に有し、
前記入力手段は、前記通信手段により前記ホストコンピュータから、前記印刷データを受信して入力する
ことを特徴とする請求項１に記載の印刷装置。
【請求項３】
前記受付手段は、前記ホストコンピュータにおいて生成された前記タイプ情報、前記第１の切替情報、及び前記第２の切替情報を、前記通信手段により前記印刷データとともに受信して受け付けることを特徴とする請求項２に記載の印刷装置。
【請求項４】
ユーザの指示を入力する操作部を更に有し、
前記受付手段は、前記操作部において入力されたユーザの指示に基づいて、前記タイプ情報、前記第１の切替情報、及び前記第２の切替情報を受け付ける
ことを特徴とする請求項１または２に記載の印刷装置。
【請求項５】
前記タイプ情報、前記第１の切替情報、及び前記第２の切替情報は、前記印刷データに対応付けて設定された情報であることを特徴とする請求項１から４のいずれか１項に記載の印刷装置。
【請求項６】
前記複数の給紙手段は、前記第１の給紙手段及び前記第２の給紙手段に加えて、第３の給紙手段を含み、
前記制御手段は、前記第１の判断手段が、前記切替手段により前記他の給紙手段へ切り替えて給紙することが許可されていると判断し、前記第２の判断手段が、前記第２の給紙手段を前記他の給紙手段として使用することが許可されていないと判断した場合に、前記切替手段による前記第１の給紙手段から前記第２の給紙手段への切り替えが実行されず、前記第１の給紙手段から前記第３の給紙手段への切り替えが実行されるよう制御する
ことを特徴とする請求項１から５のいずれか１項に記載の印刷装置。
【請求項７】
前記第１の印刷手段により給紙される記録用紙のタイプと、前記タイプ情報が示すタイプとが同一であって、且つ前記第１の給紙手段により給紙されるべき記録用紙が給紙されない場合とは、前記第１の給紙手段により給紙されるべき記録用紙が、該第１の給紙手段に格納されていない場合であることを特徴とする請求項１から６のいずれか１項に記載の印刷装置。
【請求項８】
前記第１の給紙手段に備えられ、該第１の給紙手段において給紙可能に設定されている記録用紙のタイプを検知する用紙タイプ検知手段と、
前記用紙タイプ検知手段による検知の結果に基づいて、前記第１の給紙手段により給紙される記録用紙のタイプと、前記タイプ情報が示すタイプとが同一か否かを判断する第３の判断手段と
を更に有することを特徴とする請求項１から７のいずれか１項に記載の印刷装置。
【請求項９】
前記第１の給紙手段に備えられ、該第１の給紙手段において給紙されるべき記録用紙が、該第１の給紙手段に格納されているか否かを検知する用紙有無検知手段を更に有することを特徴とする請求項１から８のいずれか１項に記載の印刷装置。
【請求項１０】
前記第２の給紙手段とは、手差しトレイを用いて記録用紙を給紙することを特徴とする請求項１から９のいずれか１項に記載の印刷装置。
【請求項１１】
前記タイプ情報とは、記録用紙のサイズを示す情報であることを特徴とする請求項１から１０のいずれか１項に記載の印刷装置。
【請求項１２】
記録用紙を給紙する給紙手段であって少なくとも第１の給紙手段及び第２の給紙手段とを含む複数の給紙手段と、
予め設定された給紙手段による給紙が不可能な場合に、他の給紙手段に切り替えて給紙を行う切替手段と、
前記第１の給紙手段により記録用紙を給紙して印刷されるべき印刷データを入力する入力手段と、
前記入力手段により入力された印刷データの印刷に係る情報として、該印刷データの印刷に用いられるべき記録用紙を前記第１の給紙手段により給紙することが不可能な場合に、前記切替手段により前記第１の給紙手段から他の給紙手段に切り替えて給紙することを許可するか否かを示す第１の切替情報と、前記第２の給紙手段を前記他の給紙手段として使用することを許可するか否かを示す第２の切替情報とを、受け付ける受付手段と、
前記入力手段により入力された印刷データの印刷を実行する際に、該印刷データの印刷に用いられるべき記録用紙を前記第１の給紙手段により給紙することが不可能な場合は、前記第１の切替情報に基づいて、前記切替手段により他の給紙手段へ切り替えて給紙することが許可されているか否かを判断する第１の判断手段と、
前記切替手段により前記第１の給紙手段から前記他の給紙手段に切り替える場合に、前記第２の切替情報に基づいて、前記第２の給紙手段を前記他の給紙手段として使用することが許可されているか否かを判断する第２の判断手段と、
前記印刷データの印刷を実行する場合に、該印刷の開始後に、前記第１の給紙手段により給紙されるべき記録用紙の給紙が不可能になった場合は、前記第１の判断手段による判断の結果及び前記第２の判断手段による判断の結果に基づいて、前記切替手段による切り替えが実行されるよう制御し、また、前記印刷の開始前において、前記第１の給紙手段により給紙されるべき記録用紙の給紙が不可能である場合は、前記第２の切替情報に基づかず、前記第１の判断手段による判断の結果に基づいて、前記切替手段による切り替えが実行されるよう制御する制御手段と、
を備えることを特徴とする印刷装置。
【請求項１３】
前記第１の給紙手段に備えられ、該第１の給紙手段において給紙されるべき記録用紙が、該第１の給紙手段に格納されているか否かを検知する用紙有無検知手段を更に有し、
前記印刷の開始後に前記第１の給紙手段により給紙されるべき記録用紙の給紙が不可能になる場合とは、前記印刷の開始後に、前記用紙有無検知手段により前記第１の給紙手段に該第１の給紙手段により給紙されるべき記録用紙が格納されていないことを検知した場合である
ことを特徴とする請求項１２に記載の印刷装置。
【請求項１４】
前記第１の給紙手段に備えられ、該第１の給紙手段において給紙可能に設定されている記録用紙のタイプを検知する用紙タイプ検知手段を更に有し、
前記受付手段は、前記第１の切替情報及び前記第２の切替情報に加えて、前記印刷データの印刷に用いられるべき記録用紙のタイプを示すタイプ情報を受け付け、
前記印刷の開始前において、前記第１の給紙手段により給紙されるべき記録用紙の給紙が不可能である場合とは、前記印刷の開始前に、前記用紙タイプ検知手段が検知した前記第１の給紙手段において給紙可能に設定されている記録用紙のタイプと前記受け付け手段が受け付けたタイプ情報が示すタイプとが異なる場合である
ことを特徴とする請求項１２または１３に記載の印刷装置。
【請求項１５】
前記タイプ情報とは、記録用紙のサイズを示す情報であることを特徴とする請求項１４に記載の印刷装置。
【請求項１６】
ホストコンピュータと通信を行う通信手段を更に有し、
前記入力手段は、前記通信手段により前記ホストコンピュータから、前記印刷データを受信して入力し、
前記受付手段は、前記入力手段により入力された印刷データに含まれる前記第１の切替情報及び前記第２の切替情報を抽出して受け付ける
ことを特徴とする請求項１２から１５のいずれか１項に記載の印刷装置。
【請求項１７】
前記第２の給紙手段は、手差しトレイを用いて記録用紙を給紙することを特徴とする請求項１２から１６のいずれか１項に記載の印刷装置。
【請求項１８】
記録用紙を給紙する給紙手段であって少なくとも第１の給紙手段及び第２の給紙手段とを含む複数の給紙手段を備える印刷装置の制御方法であって、
予め設定された給紙手段による給紙が不可能な場合に、他の給紙手段に切り替えて給紙を行う切替工程と、
前記第１の給紙手段により記録用紙を給紙して印刷されるべき印刷データを入力する入力工程と、
前記入力工程で入力された印刷データの印刷に係る情報として、該印刷データの印刷に用いられるべき記録用紙のタイプを示すタイプ情報と、該タイプ情報が示すタイプの記録用紙を前記第１の給紙手段により給紙することが不可能な場合に、前記切替工程において前記第１の給紙手段から他の給紙手段に切り替えて給紙することを許可するか否かを示す第１の切替情報と、前記第２の給紙手段を前記他の給紙手段として使用することを許可するか否かを示す第２の切替情報とを、受け付ける受付工程と、
前記入力工程で入力された印刷データの印刷を実行する場合に、前記タイプ情報が示すタイプの記録用紙を前記第１の給紙手段により給紙することが不可能な場合は、前記第１の切替情報に基づいて、前記切替工程において前記他の給紙手段へ切り替えて給紙することが許可されているか否かを判断する第１の判断工程と、
前記切替工程において前記第１の給紙手段から前記他の給紙手段に切り替える場合に、前記第２の切替情報に基づいて、前記第２の給紙手段を前記他の給紙手段として使用することが許可されているか否かを判断する第２の判断工程と、
前記第１の給紙手段により給紙される記録用紙のタイプと、前記タイプ情報が示すタイプとが同一であって、且つ前記第１の給紙手段により給紙されるべき記録用紙が給紙されない場合には、前記第１の判断工程での判断の結果及び前記第２の判断工程での判断の結果に基づいて、前記切替工程における切り替えが実行されるよう制御し、また、前記第１の給紙手段により給紙される記録用紙のタイプと、前記タイプ情報が示すタイプとが異なる場合には、前記第２の切替情報に基づかず、前記第１の判断工程での判断の結果に基づいて、前記切替工程における切り替えが実行されるよう制御する制御工程と、
を備えることを特徴とする印刷装置の制御方法。
【請求項１９】
記録用紙を給紙する給紙手段であって少なくとも第１の給紙手段及び第２の給紙手段とを含む複数の給紙手段を備える印刷装置の制御方法であって、
予め設定された給紙手段による給紙が不可能な場合に、他の給紙手段に切り替えて給紙を行う切替工程と、
前記第１の給紙手段により記録用紙を給紙して印刷されるべき印刷データを入力する入力工程と、
前記入力工程で入力された印刷データの印刷に係る情報として、該印刷データの印刷に用いられるべき記録用紙を前記第１の給紙手段により給紙することが不可能な場合に、前記切替工程において前記第１の給紙手段から他の給紙手段に切り替えて給紙することを許可するか否かを示す第１の切替情報と、前記第２の給紙手段を前記他の給紙手段として使用することを許可するか否かを示す第２の切替情報とを、受け付ける受付工程と、
前記入力工程で入力された印刷データの印刷を実行する場合に、該印刷データの印刷に用いられるべき記録用紙を前記第１の給紙手段により給紙することが不可能な場合は、前記第１の切替情報に基づいて、前記切替工程において他の給紙手段へ切り替えて給紙することが許可されているか否かを判断する第１の判断工程と、
前記切替工程において前記第１の給紙手段から前記他の給紙手段に切り替える場合に、前記第２の切替情報に基づいて、前記第２の給紙手段を前記他の給紙手段として使用することが許可されているか否かを判断する第２の判断工程と、
前記印刷データの印刷を実行する場合に、該印刷の開始後に、前記第１の給紙手段により給紙されるべき記録用紙の給紙が不可能になった場合は、前記第１の判断工程での判断の結果及び前記第２の判断工程での判断の結果に基づいて、前記切替工程における切り替えが実行されるよう制御し、また、前記印刷の開始前において、前記第１の給紙手段により給紙されるべき記録用紙の給紙が不可能である場合は、前記第２の切替情報に基づかず、前記第１の判断工程での判断の結果に基づいて、前記切替工程における切り替えが実行されるよう制御する制御工程と、
を備えることを特徴とする印刷装置の制御方法。
【請求項２０】
少なくとも、第１の給紙装置、及び手差しトレイを用いて給紙を行う第２の給紙装置とを含む複数の給紙装置を有する印刷装置と、その印刷装置に接続されたホストコンピュータとを含む印刷システムであって、
前記ホストコンピュータは、
前記印刷装置における印刷に用いられる記録用紙の給紙元として予め設定されている前記第１の給紙装置からの給紙が不可能な場合に、前記給紙元を前記複数の給紙装置のうちの他の給紙装置に切り替える切り替え動作を前記印刷装置に行わせるか否かを選択する第１の選択手段と、
前記第２の給紙装置を前記他の給紙装置として前記印刷装置に使用させるか否かを選択する第２の選択手段と、
前記第１の選択手段および前記第２の選択手段による選択の結果を前記印刷装置に送信する送信手段と、
を有し、
前記印刷装置は、
印刷しようとする記録用紙のタイプと、前記第１の給紙装置内の記録用紙のタイプとが一致するか否かを判断する判断手段と、
前記第１の選択手段により前記切り替え動作を行うよう選択された場合において、前記判断手段により前記タイプが一致すると判断された場合は、前記第２の選択手段による選択の結果に従って前記第２の給紙装置を前記他の給紙装置として使用し、前記判断手段により前記タイプが一致しないと判断された場合は、前記第２の選択手段による選択の結果にかかわらず、前記第２の給紙装置を前記他の給紙装置として使用するよう制御する制御手段と、
を有することを特徴とする印刷システム。
【請求項２１】
少なくとも、第１の給紙装置、及び手差しトレイを用いて給紙を行う第２の給紙装置とを含む複数の給紙装置を有する印刷装置と、その印刷装置に接続されたホストコンピュータとを含む印刷システムの制御方法であって、
前記ホストコンピュータは、
前記印刷装置における印刷に用いられる記録用紙の給紙元として予め設定されている前記第１の給紙手段からの給紙が不可能な場合に、前記給紙元を前記複数の給紙手段のうちの他の給紙装置に切り替える切り替え動作を前記印刷装置に行わせるか否かを選択する第１の選択ステップと、
前記第２の給紙手段を前記他の給紙装置として前記印刷装置に使用させるか否かを選択する第２の選択ステップと、
前記第１の選択ステップおよび前記第２の選択ステップによる選択の結果を前記印刷装置に送信する送信ステップと、
を有し、
前記印刷装置は、
印刷しようとする記録用紙のタイプと、前記第１の給紙装置内の記録用紙のタイプとが一致するか否かを判断する判断ステップと、
前記第１の選択ステップにより前記切り替え動作を行うよう選択された場合において、前記判断ステップにより前記タイプが一致すると判断された場合は、前記第２の選択ステップによる選択の結果に従って前記第２の給紙装置を前記他の給紙装置として使用し、前記判断ステップにより前記タイプが一致しないと判断された場合は、前記第２の選択ステップによる選択の結果にかかわらず、前記第２の給紙装置を前記他の給紙装置として使用するよう制御する制御ステップと、
を有することを特徴とする印刷システムの制御方法。
【手続補正２】
【補正対象書類名】明細書
【補正対象項目名】００１２
【補正方法】変更
【補正の内容】
【００１２】
【課題を解決するための手段】
本発明の一側面に係る印刷装置は、
記録用紙を給紙する給紙手段であって少なくとも第１の給紙手段及び第２の給紙手段とを含む複数の給紙手段と、
予め設定された給紙手段による給紙が不可能な場合に、他の給紙手段に切り替えて給紙を行う切替手段と、
前記第１の給紙手段により記録用紙を給紙して印刷されるべき印刷データを入力する入力手段と、
前記入力手段により入力された印刷データの印刷に係る情報として、該印刷データの印刷に用いられるべき記録用紙のタイプを示すタイプ情報と、該タイプ情報が示すタイプの記録用紙を前記第１の給紙手段により給紙することが不可能な場合に、前記切替手段により前記第１の給紙手段から他の給紙手段に切り替えて給紙することを許可するか否かを示す第１の切替情報と、前記第２の給紙手段を前記他の給紙手段として使用することを許可するか否かを示す第２の切替情報とを、受け付ける受付手段と、
前記入力手段により入力された印刷データの印刷を実行する際に、前記タイプ情報が示すタイプの記録用紙を前記第１の給紙手段により給紙することが不可能な場合は、前記第１の切替情報に基づいて、前記切替手段により前記他の給紙手段へ切り替えて給紙することが許可されているか否かを判断する第１の判断手段と、
前記切替手段により前記第１の給紙手段から前記他の給紙手段に切り替える場合に、前記第２の切替情報に基づいて、前記第２の給紙手段を前記他の給紙手段として使用することが許可されているか否かを判断する第２の判断手段と、
前記第１の給紙手段により給紙される記録用紙のタイプと、前記タイプ情報が示すタイプとが同一であって、且つ前記第１の給紙手段により給紙されるべき記録用紙が給紙されない場合には、前記第１の判断手段による判断の結果及び前記第２の判断手段による判断の結果に基づいて、前記切替手段による切り替えが実行されるよう制御し、また、前記第１の給紙手段により給紙される記録用紙のタイプと、前記タイプ情報が示すタイプとが異なる場合には、前記第２の切替情報に基づかず、前記第１の判断手段による判断の結果に基づいて、前記切替手段による切り替えが実行されるよう制御する制御手段と、
を備えることを特徴とする。